(57)【要約】  本発明は、第１のディスプレイを提供する第１の表面エリア及び第２のディスプレイを提供する第２の表面エリアを有する電子デバイスを提供する。本電子デバイスは、第１のディスプレイ及び前記第２のディスプレイ上に異なる画像を表示するように構成され、第１のディスプレイ及び前記第２のディスプレイについて独立した電力管理機能を有し、ディスプレイが上記異なる画像を表示している間、動作する。また、本発明は、このようなデバイス内の複数の各スクリーンを能動的に電力管理制御する方法を提供する。
2015504526.tif 000002
【特許請求の範囲】
【請求項１】
第１のディスプレイを提供する第１の表面エリア及び第２のディスプレイを提供する第２の表面エリアを有する電子デバイスであって、前記第１のディスプレイ及び前記第２のディスプレイ上に異なる画像を表示するように構成され、前記第１のディスプレイ及び前記第２のディスプレイについて独立した電力管理機能を有し、前記ディスプレイが前記異なる画像を表示している間、動作する、電子デバイス。
【請求項２】
請求項１に記載の電子デバイスであって、該デバイス上で実行されるアプリケーションが前記電力管理機能を制御できるように構成される、請求項１に記載の電子デバイス。
【請求項３】
請求項２又は３に記載の電子デバイスであって、前記アプリケーションは、該デバイスの電力管理システムにアクセスするように構成される、請求項２又は３に記載の電子デバイス。
【請求項４】
前記表示される画像のそれぞれの電力依存ディスプレイ特性を制御するのに前記電力管理機能を制御するように構成される、請求項１、２、又は３に記載の電子デバイス。
【請求項５】
前記アプリケーションによる前記電力管理機能へのアクセスは、アプリケーションプログラムインターフェースによって達成される、請求項１、２、３、又は４に記載の電子デバイス。
【請求項６】
前記アプリケーションは、関連するアプリケーションプログラムインターフェースがエクスポーズされているソフトウェア開発キット内で生成される、請求項５に記載の電子デバイス。
【請求項７】
前記電力管理機能内で電力依存ディスプレイ特性の閾値レベルのプログラミングを可能にするユーザーインターフェース手段を含む、請求項１から６のいずれか１項に記載の電子デバイス。
【請求項８】
アプリケーション依存的方法での前記閾値レベルの変更を可能にするように構成される、請求項７に記載の電子デバイス。
【請求項９】
電子デバイスの電力管理の方法において、前記電子デバイスは、第１のディスプレイを提供する第１の表面エリア及び第２のディスプレイを提供する第２の表面エリアを有し、前記第１のディスプレイ及び前記第２のディスプレイ上に異なる画像を表示するように構成される、方法であって、前記第１のディスプレイ及び前記第２のディスプレイがともに前記異なる画像を表示している間に互いに独立に前記第１のディスプレイ及び前記第２のディスプレイに電力管理機能を提供するステップを含む、電子デバイスの電力管理の方法。
【請求項１０】
前記デバイス上で実行されるアプリケーションによって前記電力管理機能を制御するステップを含む、請求項９に記載の方法。
【請求項１１】
前記アプリケーションは、前記デバイスの電力管理システムにアクセスする、請求項９又は１０に記載の方法。
【請求項１２】
前記電力管理機能を制御するステップは、前記表示される画像のそれぞれの電力依存ディスプレイ特性に応答して行われる、請求項９、１０、又は１１に記載の方法。
【請求項１３】
前記電力管理機能にアクセスするステップは、アプリケーションプログラムインターフェースによって行われる、請求項９から１２のいずれか１項に記載の方法。
【請求項１４】
前記アプリケーションがその中で生成されるソフトウェア開発キットによる前記アプリケーションプログラムインターフェースのエクスポーズを含む、請求項９から１３のいずれか１項に記載の方法。
【請求項１５】
実行されると、請求項９から１４のいずれか１項に記載の方法を提供する命令を有するコンピュータープログラム。
【請求項１６】
請求項１５に記載のコンピュータープログラム要素を含むコンピュータープログラム製品。
【請求項１７】
コンピューター可読媒体であって、該コンピューター可読媒体上に記録された、請求項１６に記載のコンピュータープログラム製品を有する、コンピューター可読媒体。
【発明の詳細な説明】
【技術分野】
【０００１】
本発明は、マルチスクリーン電子デバイス内の電力管理に関し、特に、こうした電力管理を提供する電子デバイス及びこうしたデバイスで使用する電力管理方法に関する。
【０００２】
本出願は、２０１１年１１月１５日付けの英国特許出願第１１１９７０９．２号に基づき、その特許出願からの優先権の利益を主張し、その特許出願の開示は引用することによりその全体が本明細書の一部をなす。
【背景技術】
【０００３】
メディアプレーヤ、電気通信デバイス、及びコンピューターデバイス等の電子デバイスは、一般に、マルチスクリーン及び概して２スクリーンの装備によって益々有用性を高めようとしている。こうしたデバイスは、一般に元来可搬型であり、そのため、機能のためにオンボード電池電源に頼る。また、こうしたデバイスは、スクリーン解像度、カラーレンダリング能力、及びタッチ入力能力の特性によって測定されるとき等に、同等の性能を提供する２つ以上のスクリーンを益々使用している。
【０００４】
電力要求等の性能面、並びに、再充電前の寿命並びに総合的な電池サイズ及び重量の関連する特性は、エネルギー効率の更なる改善について継続した必要性が存在する場合、特にモバイルデバイスにとって、しかし同様に、配電線から電源供給を受けるデバイス（mains powered device）にとって重要な考慮事項になる。しかし、２つ以上のスクリーンのそれぞれが、同等の高い性能を提供する可能性を有する場合、別々でかつ異なるスクリーン設計構成による電力節約は利用できない。
【０００５】
いろいろな、一般にデュアルスクリーンデバイスが、例えば特許文献１、特許文献２、特許文献３、特許文献４、及び特許文献５から知られている。
【０００６】
しかし、各デバイスにおいて、両方のスクリーンは、電力管理を実際に受けるとき、まるで単一の存在であるかのように管理され、そのため、電力管理の観点から、デバイスは、実際には、シングルスクリーンデバイスとして機能する。
【０００７】
これらの既知のデバイスにおいて、外見上では別々に電力管理を行う或る機能が提供される場合、この機能は、各スクリーンを別々にパワーアップ／パワーダウンさせる可能性、例えば、デバイスの物理的状態に応じて基本的なオン／オフ機能を提供する可能性に単に制限される。これらの既知のデバイスのうちの幾つかについて留意されるように、この機能は、内側／外側スクリーンを有する折り畳み式電話においてそれ自体を具現化することができ、内側／外側スクリーンは、電話のオープン状態／クローズ状態に応じてオン状態とオフ状態との間で交互に入れ替わる。
【０００８】
もちろん、こうした既知のデバイスは、スクリーンがその要求される画像（複数の場合もある）を表示し続けるときの、継続的な電力管理の態様を決して包含しないことが認識されるべきである。
【０００９】
したがって、こうした既知のマルチスクリーンデバイス内の電力管理は、不利に制限され、このことは、ひいては、電池／デバイスのサイズ／重量及び動作寿命に関連する二次的な欠点を有する電力消費を低減する範囲を制限する。
【先行技術文献】
【特許文献】
【００１０】
【特許文献１】中国特許出願第２０１１５３２７４号
【特許文献２】中国特許出願公開第１０１２７６２３４号
【特許文献３】韓国特許第００８００６５５０７号
【特許文献４】韓国特許出願公開第２００３００３４３５８号
【特許文献５】国際公開９８／２１７０９号
【発明の概要】
【発明が解決しようとする課題】
【００１１】
本発明は、マルチスクリーン電子デバイスと、関連する動作方法と、既知のデバイス、方法、及び機能に優る利点を有するソフトウェア機能を提供することを目的とする。
【課題を解決するための手段】
【００１２】
本発明の第１の態様によれば、第１のディスプレイを提供する第１の表面エリア及び第２のディスプレイを提供する第２の表面エリアを有する電子デバイスであって、前記第１のディスプレイ及び前記第２のディスプレイ上に異なる画像を表示するように構成され、前記第１のディスプレイ及び前記第２のディスプレイについて独立した電力管理機能を有し、前記ディスプレイが前記異なる画像を表示している間、動作する、電子デバイスが提供される。
【００１３】
こうした独立した電力管理機能は、ディスプレイのそれぞれが、表示画像の性質に依存しかつ各ディスプレイについて全く異なり得る電力使用機能によって動作することを決定する便利な手段を提供する。
【００１４】
本発明の１つの特徴として、該デバイスは、該デバイス上で実行されるアプリケーションが前記電力管理機能を制御するように構成されることができる。特に、前記アプリケーションは、該デバイスの電力管理システムにアクセスするように構成される。
【００１５】
１つの構成において、該デバイスは、前記表示される画像のそれぞれの電力依存ディスプレイ特性の制御に関して前記電力管理機能を制御するように構成される。こうした電力依存ディスプレイ特性の例は、輝度、コントラスト、及び必要とされる画像がその間表示されないスリープモード期間を含み得る。
【００１６】
前記アプリケーションによる前記電力管理機能へのアクセスは、有利には、アプリケーションプログラムインターフェース（ＡＰＩ：Application Program Interface）によって達成され得る。このように、上記インターフェースは、該デバイス上で実行されるアプリケーションにエクスポーズされるように構成される。
【００１７】
１つの特定の実施形態では、前記アプリケーションは、関連するアプリケーションプログラムインターフェースがエクスポーズされているソフトウェア開発キット（ＳＤＫ：Software Development Kit）内で生成されるように構成され得る。
【００１８】
本発明の更なる特徴によれば、該デバイスは、前記電力管理機能内で電力依存ディスプレイ特性の閾値レベルのプログラミングを可能にするユーザーインターフェース手段を含む。特に、前記ユーザーインターフェース手段は、アプリケーション依存的方法での上記閾値レベルの変更を可能にし得る。そして、電力管理機能は、有利には、ユーザーによって設定されかつアプリケーションの特定のディスプレイ要求に応じて異なり得る範囲内で動作し得る。
【００１９】
上記の内容からわかるように、電子デバイスはマルチディスプレイデバイスを備える。しかし、複数のディスプレイがそれぞれの複数のスクリーン上に設けられ得る、又は、機能的に、シングルスクリーンが適宜分割されて、それぞれが自分自身の各電力管理を有する全く別々のディスプレイを提供し得る。
【００２０】
もちろん、ディスプレイを提供する任意のスクリーン又は複数のスクリーンは、デバイス用のユーザーインターフェースを示すのに役立つタッチ機能を含み得る。
【００２１】
本発明は、モバイルデバイスであってもなくても、また、オンボード電池電源又は接続式主電源に頼っても頼らなくても、別個のディスプレイを提供する任意の形態の電子デバイスに関する。
【００２２】
本発明は、小型のコンピューティングデバイスに関し、通信デバイス及びメディアプレーヤーは、本発明が特に関連する電子デバイスの例を示す。
【００２３】
本発明の別の態様によれば、電子デバイスの電力管理の方法において、前記電子デバイスは、第１のディスプレイを提供する第１の表面エリア及び第２のディスプレイを提供する第２の表面エリアを有し、前記第１のディスプレイ及び前記第２のディスプレイ上に異なる画像を表示するように構成される、方法であって、前記第１のディスプレイ及び前記第２のディスプレイがともに前記異なる画像を表示している間に互いに独立に前記第１のディスプレイ及び前記第２のディスプレイに電力管理を提供するステップを含む、電子デバイスの電力管理の方法が提供される。
【００２４】
同様に先に論じた電子デバイスの有利な更なる特徴は、上記に規定した方法において具現化される本発明に関連する。
【００２５】
したがって、本発明のこの態様の特徴として、該方法は、前記デバイス上で実行されるアプリケーションによって前記電力管理を制御するステップを含み得る。前記アプリケーションは、前記デバイスの電力管理システムにアクセスし得る。
【００２６】
前記電力管理機能を制御するステップは、前記表示される画像のそれぞれの電力依存ディスプレイ特性及び上記特性のような特性に応答して行われ得る。
【００２７】
有利には、前記電力管理システムにアクセスするステップは、アプリケーションプログラムインターフェースによって行われ得る。このように、該方法は、前記デバイス上で実行されるアプリケーションに対するインターフェースをエクスポーズするステップを含み得る。
【００２８】
なお、さらに、該方法は、前記アプリケーションがその中で生成されるソフトウェア開発キットによる前記アプリケーションプログラムインターフェースのエクスポーズを含み得る。
【００２９】
留意されるように、本発明の方法は、モバイルデバイスであってもなくても、また、オンボード電池電源又は接続式主電源に頼っても頼らなくても、別個のディスプレイを提供する任意の形態の電子デバイス内で使用され得る。
【００３０】
ここでも、可搬型コンピューティングデバイス、通信デバイス、及びメディアプレーヤーは、本発明が特に関連する電子デバイスの例を示す。
【００３１】
したがって、上記から認識されるように、特に効率的な電力管理配置構成は、方法と電子デバイスとの両方において具現化され得る。認識されるように、また、必要に応じて、デバイスの複数のスクリーンにわたって実行されるシングルアプリケーションが、各スクリーンの電力管理の制御を独立に提供し得る。そのため、マルチスクリーンコンピューティングデバイスプラットフォームは、有利には、複数のスクリーンのそれぞれの独立した電力管理をサポートすることができ、おそらくはいろいろなアプリケーションに関連する有用性及びデバイス上で実行されるように構成される関連するディスプレイ要求を高めるため、ディスプレイパラメーターを、各スクリーンについて別々にまた各アプリケーションについて別々に調整するよう、ユーザーがデバイスとインターフェースする対策がなされ得る。
【００３２】
もちろん、本発明の制御機能は、任意の適したソフトウェア又はハードウェア構成によって提供され得る。同様に、本発明は、実行されると、上記で規定した方法を提供する命令を有するコンピュータープログラムに関連し得る。
【００３３】
なお、さらに、本発明は、こうしたコンピュータープログラムを含むコンピュータープログラム製品を提供することができ、なお、さらに、本発明は、コンピューター可読媒体であって、コンピューター可読媒体上に記録されたコンピュータープログラム製品を有する、コンピューター可読媒体を提供することができる。
【００３４】
本発明は、添付図面を参照して、単に例として、以降で更に述べられる。
【図面の簡単な説明】
【００３５】
【図１】現行の技術により、また、シングルスクリーンデバイス及びマルチスクリーンデバイスの電力管理に使用される状態機械の図である。
【図２】本発明の一実施形態に従って生じ、また、デュアルスクリーンデバイスに関して示される状態機械の図である。
【図３】本発明の或る実施形態によるモバイルデュアルスクリーン電子デバイスの略図である。
【発明を実施するための形態】
【００３６】
したがって、最初に図１を参照すると、シングルスクリーンデバイス又はマルチスクリーンデバイスを管理する、現行の技術内の電力管理を示す状態機械図が提供される。要求される画像の表示中におけるこうした既知のデバイス内の電力管理機能に関して、こうした既知のマルチスクリーンデバイスのスクリーンは、シングルエンティティとして管理される。
【００３７】
デバイスのノーマル状態１０を考えると、こうした状態は、「入力」自己ループ遷移が継続している間、また、ユーザーインターフェースが任意のユーザーによってアクセスされているため、そのままである。しかし、入力が終了すると、電力管理機能がスクリーン輝度をノーマル輝度からディム輝度に変更することになる「遷移（ノーマルからディムへ）（Transition（Normal to Dim））」状態１２経由で、デバイスのディスプレイスクリーン用の「ディム（Dim）」状態１４への考えられる遷移についてタイムアウトが監視される。したがって、「ディム状態（dimmed）」のディスプレイによってスクリーンを実行するときに少ない電力が消費される。更なるタイムアウトが認識される場合、デバイスは、スクリーン輝度が「ディム」輝度レベルから「オフ」輝度レベルまで減少される「遷移（ディムからオフへ）（Transition（Dim to Off））」状態１６経由で、ディスプレイ用の「オフ」状態１８に遷移して、電力要求を更に制限し、したがって、電力節約を高める。
【００３８】
もちろん、遷移状態１２、１６のいずれか又は定常状態１４、１８のいずれかにある間に、ユーザーインターフェースにおいて再開されるユーザー入力は、スクリーン輝度が現在のレベルからノーマル輝度レベルまで増加される「遷移（現在からノーマルへ）（Transition（Current to Normal））」状態２２からノーマル状態１０に戻る遷移を引起す。定常状態１０、１４のいずれにおいても、アプリケーションプログラムインターフェースは、タイムアウトをオーバーライドすることによって、アプリケーションが、状態１２及び１６へのそれぞれの遷移を抑制することを可能にする。
【００３９】
しかし、「オフ」状態１８にある間に、ユーザーが更なる入力試行を全く行わない場合、デバイスは、タイムアウトによって、電力要求の更なる低減及び更なる電力節約が行われ得る「システムスリープ（System Sleep）」状態２０に遷移し得る。
【００４０】
デバイスは、スクリーン輝度がノーマル輝度レベルまで増加され、適切なタイムアウト後に「ノーマル（Normal）」状態動作１０に向かって戻る「遷移（スリープからノーマルへ）（Transition（Sleep to Normal））」状態２４への遷移を可能にするユーザー入力が検出されるときまで、「システムスリープ」状態２０のままであり得る。
【００４１】
留意されるように、こうした状態機械は、要求される画像の表示中に、また、こうした表示中の電力管理の目的でマルチスクリーンデバイスの異なるスクリーンがシングルエンティティとして扱われるため、マルチディスプレイであってもなくても、既知の全てのディスプレイデバイスの電力管理動作にとって重要である。
【００４２】
ここで図２を参照すると、ラップトップコンピューティングデバイス等のデュアルスクリーン電子デバイスに関連する状態機械図が提供され、２つのスクリーンのそれぞれの上で異なる画像を表示する本発明の或る実施形態による独立した電力管理を示す。
【００４３】
認識されるように、それぞれの状態のセット及び関連する遷移は、それぞれの各スクリーンについての電力管理シナリオに対して設けられるが、もちろん、それぞれの状態／遷移間に形成される幾つかの必要な接合部が存在する。
【００４４】
参照を容易にするために、第１のスクリーンＡの状態／遷移に関連して使用される数値表記は、図１で使用される数値表記を反映する。そのため、やはりノーマル状態１０が設けられ、ノーマル状態１０は、自己ループ「入力」遷移を可能にし、また、バックライト電力がノーマルレベルからディムレベルに遷移する「遷移Ａ（ノーマルからディムへ）」状態１２経由で「ディムＡ」状態１４へそれ自身遷移し、前方におそらくは、バックライト電力がディムレベルからオフレベルに遷移する「遷移Ａ（ディムからオフへ）」状態１６経由で「オフＡ」状態１８に遷移する。遷移状態２２経由でノーマル状態に戻る遷移が、新しいユーザー入力が検出される場合にやはり生じ、スクリーンバックライトが、現在の輝度からノーマルレベルに遷移する。定常状態１０、１４のいずれにおいても、ＡＰＩは、タイムアウトをオーバーライドすることによって、アプリケーションが、状態１２及び１６へのそれぞれの遷移を抑制することを可能にする。
【００４５】
しかし、「システムスリープ」状態２０に関して、こうした状態はまた、２つのスクリーンのうちの第２のスクリーンＢによる電力管理機能にインターフェースし、更に示され論じられるように、種々の遷移条件接合部２６〜３２が設けられる。
【００４６】
ここで、第２のスクリーンＢに関連する状態及び遷移条件のセットを考えると、これらは、同様にスクリーンＡのものを反映する。
【００４７】
そのため、「ノーマルＢ」状態３４は、デバイスへのユーザー入力が検出され、スクリーンＡの出力に反映されると、適切な自己ループ「入力」遷移を持って存在する。「遷移Ｂ（ノーマルからディムへ）」状態３６は、タイムアウトが生じる場合に生じ、スクリーンバックライトはノーマル輝度からディム輝度に遷移することになる。タイムアウト後に、スクリーンＢは、「ディムＢ」状態３８に遷移し得る。同様に、更なるタイムアウト後に、状態機械は、スクリーンがディム輝度からオフ輝度に遷移される「遷移Ｂ（ディムからオフへ）」状態４０に遷移することができ、その後、更なるタイムアウト後に、「オフＢ」状態４２への遷移が第２のスクリーンＢにとって適切であることを示す。定常状態３４、３８のいずれにおいても、ＡＰＩは、タイムアウトをオーバーライドすることによって、アプリケーションが、状態３６及び４０へのそれぞれの遷移を抑制することを可能にする。
【００４８】
再び、遷移状態３６、４０の間の任意の時間に、又は、定常状態３８、４２にある間に、「遷移Ｂ（現在からノーマルへ）」状態４６経由で「ノーマル」状態３４に戻る遷移をユーザー入力が要求すると判定される場合、こうした遷移が示すように提供される。
【００４９】
デバイスのスクリーンＡ、Ｂのそれぞれについての電力管理は、したがって自律的であるが、マルチスクリーンデバイス全体について全ての「システムスリープ」機能について必要とされることになる共通の制御及び電力管理機能を可能にするために、状態機械は、必ず何らかの接合部を含む。
【００５０】
そのため、また、示すように、「システムスリープ」状態２０へのエントリは、「オフＡ」状態１８及び「オフＢ」状態４２に関連するそれぞれのタイムアウトが超えられたと判定される場合に接合部２６を介した適切な遷移によってのみ達成されることになる。
【００５１】
さらに、接合部２８、３０は、デバイスがその「システムスリープ」２０モードを出ることを可能にするために、タイムアウト後にノーマル動作状態１０、３４に戻る遷移状態２４、４４の一部として、又は、スクリーンＢ、Ａの一方の、そのオフ状態４２、１８への戻りの一部として遷移することを可能にする。
【００５２】
考えられる更なる遷移条件として、ユーザー入力の検出はまた、接合部３２を介して、タイムアウト後に、両方のスクリーンＡ、Ｂの、そのノーマル動作状態１０、３４に戻る同時の遷移状態２４、４４を始動するのに役立ち得る。
【００５３】
そのため、図２を参照して認識されるように、スクリーンの動作の定常状態、すなわち、「ノーマル」、「ディム」、及び「オフ」は、互いに全く独立に始動され得る。もちろん、示す３つの状態が単に非限定的な例であること、及び、ディスプレイスクリーン動作の任意の適切な状態が、本発明の独立した制御によって提供／達成され得ることが認識されるべきである。
【００５４】
そのため、本発明は、それぞれが電力管理の独立した制御を有するデバイス内の複数のスクリーンを容易に提供し得る。なお更に、こうした複数のスクリーンの電力管理の制御は、デバイス上で実行される実際のアプリケーション自体によって達成されることができ、こうして、アプリケーションは、デバイスの電力管理システムにアクセスするように構成され得る。
【００５５】
一例として、これは、適したＡＰＩによって達成されることができ、適したＡＰＩは、特定のアプリケーションにエクスポーズされるように構成される。
【００５６】
もちろん、異なるアプリケーションが、例えば異なる期間、異なるスクリーン輝度レベル、異なるコントラストレベル等のような異なるディスプレイ要求を有する限り、本発明は、考えられるアプリケーションのそれぞれに関連するパラメーターの別個の調整及び制御を可能にするユーザーインターフェース機能を持つように構成され得る。もちろん、更に詳細に、こうしたユーザー制御は、アプリケーションのユーザーインターフェースの一部を形成するメニュー駆動式システムによって、又は代替的に、システムレベルのユーザーインターフェースのメニューによって実装され得る。
【００５７】
アプリケーションが電力管理システムにアクセスすることを可能にするための可能性が最も高い手段をＡＰＩが示す限り、こうしたインターフェースの基本設計は、遷移が抑制されること、タイムアウトがプログラムされること、スクリーンの電力要求の管理、及び、もちろん各スクリーンについてのパラメーターの個々のプログラミングを可能にするのに役立つであろう。
【００５８】
単なる例として、以下の列挙が、適切なＡＰＩの考えられるうまく機能する実施形態の例証として単に提供される。
列挙
enum enum_onoff｛PM_OFF=0, PM_PROHIBIT=PM_OFF, PM_ON, PM_GRANT=PM_ON｝/*アプリケーションの目的に応じてスクリーン遷移の抑制を可能にする*/
enum enum_state｛PM_STATE_NORMAL, PM_STATE_TRANSITION_NORM_TO_DIM, PM_STATE_DIM,PM_STATE_TRANSITION_DIM_TO_OFF, PM_STATE_OFF, PM_STATE_SLEEP/*状態機械内の輝度及び位置がアプリケーションによって制御されることを可能にする*/
enumcontrol_scheme（PM_MANAGE_SCREENS_TOGETHER, PM_MANAGE_SCREENS_INDIVIDUALLY）
関数
intpm_overall_control（enumcontrol_scheme scheme）/*スクリーンをどのように管理するかに関するポリシーを設定する*/
int pm_control_screen_A（enumenum_state state, enumenum_onoffonoff）/*スクリーンＡの制御*/
int pm_control_Screen_B（enumenum_state state, enumenum_onoffonoff）/*スクリーンＢの制御*/
【００５９】
必要に応じて、デバイス上で実行されるアプリケーションは、こうしたＡＰＩにアクセスして、電力管理機能の適切な使用ポリシーを確立し、そのため、複数のスクリーンのそれぞれについて個々の制御を達成し得る。もちろん、アプリケーションは、こうしたＡＰＩがエクスポーズされているソフトウェア開発キット（ＳＤＫ）内でほぼ適切に生成されることになる。
【００６０】
ここで図３を参照すると、本発明の或る実施形態による可搬型コンピューティングデバイス４８の図が、略図の形態で提供される。
【００６１】
デバイス４８は、必要である場合、タッチ機能を呈し得る２つのスクリーンＡ、Ｂを有するデュアルスクリーンデバイスを備える。
【００６２】
プロセッサ５０は、デバイスの動作のために、また特に、スクリーンＡ、Ｂのそれぞれの上で適切な画像をバス５２経由で表示するために設けられる。スクリーンＡ、Ｂは、サイズが異なる場合があるが、それでも同じ程度の品質で画像を表示する能力を有することが認識されるべきである。
【００６３】
もちろん標準であるが、記憶機能５４が、プロセッサ５０に連結してデバイス４８内に設けられる。留意されるように、スクリーンＡ、Ｂのいずれか又は両方は、ユーザーインターフェースデバイスとして役立つタッチ感度を有し得る。こうして、ユーザーは、デバイス４８にインターフェースして、スクリーンＡ、Ｂのいずれか又は両方の種々の特性の制御の適切なパラメーターを、互いに完全に独立に、また、デバイス４８上で実行することができる特定のアプリケーションと独立に設定し得る。参照を容易にするために、２つのスクリーンのそれぞれは、電力要求にとって重要である制御ライン６０、６２経由でかつ独立した方法でいずれかのスクリーンＡ、Ｂのディスプレイ特性を別々に制御するのに役立つそれぞれの電力管理システム５６、５８を有するように示される。そのため、スクリーン電力遷移間のタイムアウトは、２つのスクリーンＡ、Ｂについて及び実際には異なるアプリケーション間の場合のように、同様に、スクリーン輝度、バックライト強度、及びコントラストの状況、並びに必要に応じて／適切である場合、任意の他の特性について全く異なるように設定され得る。
【００６４】
例証として、ここで、考えられる動作例に対して参照が行われる。
【００６５】
第１の例として、メッセージングアプリケーションが、デバイス４８の両方のスクリーンＡ、Ｂにわたって実行され、そのとき、メッセージコンポーザーがスクリーンＡ上に表示され、ＱＷＥＲＴＹタッチ入力キーパッドがスクリーンＢ上に表示されていると考えられ得る。もちろん、スクリーンＡは、構成されるメッセージを強調するために明るいままであるべきである。しかし、スクリーンＢは、キーパッドの単色画像を表示することが必要とされるだけであり、ユーザーの視点からは高い強度は不必要であるため「ディム（dimmed）」状態に遷移し得る。したがって、スクリーンＢについての電力要求が低減されて、エネルギー消費効率が高められ、また、ユーザーの体験に対してどんな影響も及ぼさない。
【００６６】
第２の例として、デバイスは、両方のスクリーンを使用することになるメディアプレーヤーアプリケーションを実行するように構成され得る。この例では、メディア、インフォーカス（in-focus）は、スクリーンＡ上に表示され、メディア、サムネール、カルーセル、及び制御（たとえば、ｐｌａｙ、ｓｔｏｐ、ＦＦ、ＲＷＤ等の機能を提供する）は、スクリーンＢ上に表示され得る。例えばビデオリプレイを含むアプリケーションの場合、スクリーンＡは、メディアがアクティブである間、「常にオン（always on）」状態のままであることになり、一方、スクリーンＢは、リプレイ（プレイ）が始動されると、「ディム状態」又は更に「オフ」状態に遷移するように構成され得る。その後、スクリーンＢは、ユーザーによるタッチイベントを経験すると、再照明されることになるだけである。そのため、スクリーンＢは、非常にアクティブであり、かつ、電力管理機能の制御下にあるままであるが、実行されているアプリケーションの状況及び特性に対して適切である出力制御を有する。こうした細やかな制御は、有利には、ユーザーにとって性能を低下させることなく電力消費を低減するのに役立つ。
【００６７】
もちろん、本発明が、先の実施形態の詳細に制限されないことが認識されるべきである。
【００６８】
例えば、デバイスは、任意の適した数のスクリーンを使用し、２つのスクリーン上での全体的に異なる画像の表示を要求する任意の適切なアプリケーションを実行するように構成され得る。そして、各スクリーンの電力管理制御は、最も効率的な方法で、それぞれの各スクリーンからアプリケーションが要求する使用に応じて、また、もちろん互いに全く独立に進められ得る。制御のタイプ及びディスプレイ特性は、単なる例であり、そのため、非限定的であると考えられるべきである。
【図１】
2015504526.tif 000003
【図２】
2015504526.tif 000004
【図３】
2015504526.tif 000005
【国際調査報告】
2015504526.tif 000006
2015504526.tif 000007